(57)【特許請求の範囲】
【請求項１】
止水栓を備える流路に、ストレーナ若しくは逆止弁などの取り外し用キャップ又は水抜き用のキャップを有し、キャップを取り外すための可動の操作用部材を備えるキャップ付き止水栓であって、
止水栓の調節スピンドルに、止水栓の開弁時において前記操作用部材に干渉する干渉部を設けたことを特徴とするキャップ付き止水栓。
【発明の詳細な説明】
【０００１】
【発明の属する技術分野】
本発明は、止水栓を備える流路にストレーナ等の取り外し用キャップや水抜きキャップを有し、これらのキャップの取り外し用の操作用部材を備えるキャップ付き止水栓に関する。
【０００２】
【従来の技術】
従来、湯水混合水栓などの給水栓には、止水弁を設けると共に、湯又は水に含まれるゴミなどを取り除くためのストレーナや、給水栓内の湯又は水が逆流することを防止する逆止弁などを、止水弁より下流側の流路に配設しているものがある。このような給水栓においては、ストレーナや逆止弁を適当な時期に清掃したり交換するなどのメンテナンスの必要から、これらを収容した部位に、取り外し可能なキャップを設けているものがあり、また、寒冷地仕様の給水栓においては凍結防止のために、上述した給水栓と同様に、止水弁より下流側の流路に水抜きキャップを配設するものもある。そして、止水栓の調節用のスピンドルを備え、これらのキャップと止水栓を近接して設ける構成を採用し、ストレーナのメンテナンスなどと止水栓の操作を同一箇所で一括して行えるように便宜を図ると共に、流路における省スペース化を図ったものがある。
【０００３】
これらのキャップや水抜きキャップ（以下、単に「キャップ」という。）には、これらを簡易に取り外すための可動の操作用部材が設けられているものがあり、例えば、引き輪を備えたものがある。このような引き輪は通常はキャップ側に倒した状態にあり、操作時にはこれを引き起こし、固定されたキャップ共々給水栓から取り外すように構成されている。
【０００４】
このような給水栓では、ストレーナのメンテナンスや寒冷時の凍結防止のための水抜き等を行う際には、止水弁を閉じ水栓本体の上流側を閉塞し、給水・給湯管からの湯水の流入を停止させた後、前記したキャップを取り外していたが、このような場合に、止水弁を閉め忘れたり十分に閉じないままにこれらのキャップを取り外しここから水が誤放出されてしまうことがあった。特に、寒冷地においては、寒冷時期に頻繁に水抜き作業を行うため、水抜きキャップ又は水抜きキャップ兼用のストレーナや逆止弁のキャップを備える給水栓においてこのような問題が多く生じていた。
【０００５】
【発明が解決しようとする課題】
本発明は、上記した問題点を解決するものであり、上記のように止水栓を備える流路にストレーナや逆止弁などの取り外し用キャップや水抜きキャップを有し、これらのキャップを取り外すための可動の操作用部材を備えるキャップ付き止水栓において、止水栓を閉じ忘れてこれらのキャップを取り外すことによる湯水の誤放出を防止することにある。
【０００６】
【課題を解決するための手段】
上記した目的を達成するために本発明が採用したキャップ付き止水栓は、止水栓を備える流路に、ストレーナ若しくは逆止弁などの取り外し用キャップ又は水抜き用のキャップを有し、キャップを取り外すための可動の操作用部材を備えるキャップ付き止水栓であって、止水栓の調節スピンドルに、止水栓の開弁時において前記操作用部材に干渉する干渉部を設けたことを特徴とするものである。
ここで、干渉部とは、操作用部材のキャップ操作そのものに干渉する手段及び操作用部材の操作に何らかの干渉を加え止水栓の閉塞作業を操作者に注意喚起する手段をいう。この手段によれば、止水栓の開弁時には、調節スピンドルに設けられた干渉部が、操作用部材が操作位置に位置することを妨げるので、操作者は止水栓が開弁状態にあることを知ることができ、湯水の誤放水を防止できる。また、所定の操作位置に位置しなければ操作用部材を操作不能の状態とする構成を採用することにより湯水の誤放水を確実に防止できる。一方で止水栓が開弁状態にないときには操作用部材を操作位置に位置させてキャップを取り外す作業が可能となる。
【０００７】
【発明の実施の形態】
本発明の実施の形態を図面を参照して説明する。図１及び図２に示すように本発明のキャップ付き止水栓１５は、給水栓本体Ｕと壁面Ｖ内に配設された給湯又は給水配管（図示省略）とを接続し、その流路をクランク状に屈曲する給水栓用の接続ソケット１の下方屈曲部２内に設けられている。
【０００８】
このキャップ付き止水栓１５は、止水弁２１とストレーナ３０とキャップ４０とを備えており、キャップ４０の操作用部材として引き輪５０を備えている。接続ソケット１の配管側接続口８から水栓本体側接続口９において、止水弁２１がストレーナ３０よりも上流側に設けられており、この止水弁２１を閉止しキャップ４０を開放することにより、止水弁２１より下流側に位置するストレーナ３０のメンテナンスを可能となしている。止水弁２１は接続ソケット１の弁座孔３内周に設けられた雌ねじ１０に螺嵌されており、調節スピンドル２２を回転させることにより進退するガイド部２３内に装着されたパッキン２４が接続ソケット１の弁座４に着座することにより、止水弁室５に連通する流入口６を閉塞するように構成されている。キャップ付き止水栓１５のネジ部２７には配管側接続口８内に連通する開口部２８が設けられておりこれにより流入口６へと湯水が導かれる。
【０００９】
ストレーナ３０は、無底筒状形態をなし、一方の開放側端を弁座４に当接させ、かつ止水弁２１のガイド部２３の外周に外嵌されるように止水弁室５内に嵌装されている。ストレーナ３０の他方の開放側端は、接続ソケット１に設けられた操作用孔７内周面に設けられた雌ねじ１１に螺入された略円筒形状のキャップ４０に、接着材により一体的に取り付けられている。
【００１０】
キャップ４０の前面中央部には、その中心軸に沿って、調節スピンドル２２用の貫通孔４１が設けられており、これに、前記した止水弁２１の調節スピンドル２２が嵌挿され、この調節スピンドル２２のキャップ４０の前面側に突出する先端部が調節用ネジ溝２５を備えた略円筒状の干渉部２６を構成している。一方、止水弁２１のガイド部２３側はこの貫通孔４１を貫通して止水弁室５内に突出しており、調節スピンドル２２を回転及び進退自在に摺動可能となしている。また、調節スピンドル２２の摺動面と接する貫通孔４１の内周面には周回溝４２が設けられ、これに嵌装されたＯリング４３により調節スピンドル２２とキャップ４０の貫通孔４１の当接面をシールしている。また、操作用孔７の開口縁に設けられた凹部１２と、この凹部１２に対応する位置にキャップ４０に同様に設けられた凹部４７との間にＯリング４４が嵌装され、さらにキャップ４０を操作用孔７に螺入することによりキャップ４０に設けられた鍔部４５により圧着され、キャップ４０外周面と操作用孔７内周面とのシールを高めている。
【００１１】
キャップ４０の前面側には、キャップ４０を操作用孔７から取り外すためのＣ字形状の引き輪５０が設けられている。この引き輪５０の両突端部が、キャップ４０前面に、貫通孔４１の中心をはさんだ対向する２カ所に設けられた取付孔４６に遊嵌され、引き輪５０が調節スピンドル２２の両側を跨いで起きあがり自在に取り付けられている。この引き輪５０を正立させたうえで、指でつまみ、ひねるようにキャップ４０ごと回転させることにより、キャップ４０を操作用孔７より取り外すことができる。
【００１２】
図１及び図２に示すように、調節スピンドル２２は止水弁２１を開弁しているとき、すなわち調節スピンドル２２が手前側に移動しているときには、その干渉部２６が手前側に突出し引き輪５０が正立できないように引き輪５０の引き起こしに干渉する。そして、止水弁２１を閉弁すると調節スピンドル２２が奥側に移動し、干渉部２６が奥側に移動し、干渉部２６のキャップ４０前面からの突出量を減らすことにより引き輪５０の正立が可能となるように構成されている。
【００１３】
したがって、このような構成を採用することにより、止水弁２１を閉弁した状態では引き輪５０が正立可能であるので、前述したように引き輪５０を正立させたうえで指でつまみ、ひねるようにキャップ４０ごと回転させ、キャップ４０を操作用孔７より取り外すことができる。一方、開弁した状態では引き輪５０が正立できないのでこのように引き輪５０を操作することがが不可能となる。よって、操作者は止水弁２１が開閉いずれの状態にあるかを極めて容易に感知することができるので、止水弁２１が開弁状態のままキャップ４０を取り外し、配管側から流入する湯又は水を誤って放出してしまうことを極めて少なくできる。さらに、単に調節スピンドル２２の先端部の長さを変更してキャップ４０からの突出量を調節するか、又は引き輪５０を干渉部２６に干渉されるような形状のものに変更するだけの極めて簡易な構造でこの目的を達成することができる。
【００１４】
上記した実施の形態は本発明の一例を示したものであり、本発明はこれに限られない。上記のキャップ付き止水栓１５では、ストレーナ３０と止水弁２１とを同一軸上に一体的に設けているが、必ずしもこれに限られない。図３は接続ソケット１の流路中にストレーナ（図示省略）と止水弁６０とを隣接して配設した別のキャップ付き止水栓１６を示したものである。このキャップ付き止水栓１６では、ストレーナ（図示省略）と一体的に設けられたキャップ６１に引き輪６２が設けられており、止水弁２１が開弁しているときには突出する調節スピンドル６３の干渉部６４により、この引き輪６２が立ち上がることが妨げられるように構成されている。
【００１５】
また、本発明の操作用部材は引き輪に限られるものではない。図４は図３と同様に接続ソケット１の流路中にストレーナ（図示省略）と止水弁７０とを隣接してて配設したキャップ付き止水栓１７において、止水弁２１の調節スピンドル７１を間にキャップ７２と対向する位置に設けられた支持部７３を支点にして、調節スピンドル７１の進退方向と交わる方向にキャップ７２を回動自在に被覆及び露呈可能なカバー７４に、干渉部７６を備えた調節スピンドル７１が突出可能な挿通孔７５を設けたものである。このキャップ付き止水栓１７では、カバー７４を操作用部材として採用したものである。
【００１６】
さらに、このキャップ付き止水栓１５，１６，１７は、クランク状に屈曲された接続ソケット１に用いられることに限られず、例えばストレート形状の接続ソケットに用いることも可能である。また、接続ソケット１に限らず配管や水栓本体に設けることも可能である。また、ストレーナのキャップに限らず、逆止弁のキャップや水抜き栓のキャップについて用いることが可能なことはもちろんである。
【００１７】
【考案の効果】
本発明は上記のように構成されているので、止水栓を閉じずに操作用のキャップなどを取り外し、湯水を誤って放出してしまうことを防止することができる。
【図面の簡単な説明】
【図１】本発明の実施の形態のキャップ付き止水栓を用いた接続ソケットの断面図である。
【図２】図１の要部拡大斜視図である。
【図３】本発明の第二の実施の形態のキャップ付き止水栓の要部拡大斜視図である。
【図４】本発明の第三の実施の形態のキャップ付き止水栓の要部拡大斜視図である。
【符号の説明】
１；接続ソケット、２；屈曲部、３；弁座孔、４；弁座、５；止水弁室、６：流入口、７；操作用孔、８；配管側接続口、９；水栓本体側接続口、１０；雌ねじ、１１；雌ねじ、１２；凹部、１５，１６，１７；キャップ付き止水栓、２１；止水弁、２２；調節スピンドル、２３；ガイド部、２４；パッキン、２５調節用ネジ溝、２６；干渉部、２７；ネジ部、２８；開口部、３０；ストレーナ、４０；キャップ、４１；貫通孔、４２；周回溝、４３；Ｏリング、４４；Ｏリング、４５；鍔部、４６；取付孔、４７；凹部、５０；引き輪、６０；止水弁、６１；キャップ、６２；引き輪、６３；調節スピンドル、６４；干渉部、７０；止水弁、７１；調節スピンドル、７２；キャップ、７３；支持部、７４；カバー、７５；挿通孔、７６；干渉部、Ｕ；給水栓本体、Ｖ；壁面。
【図１】
0003793838.tif 000002
【図２】
0003793838.tif 000003
【図３】
0003793838.tif 000004
【図４】
0003793838.tif 000005